(57)【要約】【課題】  ブラケットと面格子との固着部及びブラケットと建物躯体との固着部の機械的強度を高め、固着用ねじの取り外しを防止して、十分な防犯性を確保する【解決手段】  ブラケットの建物躯体側端部にそのブラケットを建物躯体に固着したねじの頭を隠すためのねじ隠しカバーを、そのねじ隠しカバーに設けられた折曲縁をブラケットに形成された孔に挿入した後、ブラケットと折曲縁の一方から他方に防犯ねじをねじ込むことにより装着するようにした。【選択図】  図１
2006037451.tif 000002
【特許請求の範囲】
【請求項１】
ブラケットを用いて面格子を建物躯体に取り付ける面格子取付構造において、前記ブラケットの建物躯体側端部にそのブラケットを建物躯体に固着したねじの頭を隠すためのねじ隠しカバーを、そのねじ隠しカバーに設けられた折曲縁を前記ブラケットに形成された孔に挿入した後、前記ブラケットと前記折曲縁の一方から他方に防犯ねじをねじ込むことにより固着することを特徴とする面格子取付構造。
【請求項２】
ねじ隠しカバーのブラケットを建物躯体に固着したねじの頭を隠す面に対する折曲縁の角度は直角よりも大きい角度である請求項１の面格子取付構造。
【請求項３】
ブラケットを用いて面格子を建物躯体に取り付ける面格子取付構造において、前記面格子の上下の横フレームの屋内側面に形成した凹溝にねじ持ち部材を挿入するとともに、前記上下の横フレームの屋内側面にブラケット補強板を備え、そのブラケット補強板と前記ねじ持ち部材との間に前記ブラケットの面格子側端部を介在させて前記ブラケット補強板から前記ブラケットの面格子側端部を貫通して前記ねじ持ち部材にねじ込まれるねじにより前記ブラケットと前記面格子とを固着することを特徴とする面格子取付構造。
【請求項４】
ブラケット補強板は断面形状がほぼコ字形に形成され、横フレームの凹溝を跨ぐように前記横フレームの屋内側部分に嵌合当接され、かつ、前記面格子内側面に当接された側辺がねじで前記横フレームに固着されていることを特徴とする請求項３記載の面格子取付構造。
【請求項５】
ブラケットを用いて面格子を建物躯体に取り付ける取付構造において、前記ブラケットの建物躯体側端部にそのブラケットを建物躯体に固着したねじの頭を隠すためのねじ隠しカバーを、そのねじ隠しカバーに設けられた折曲縁を前記ブラケットに形成された孔に挿入した後、前記ブラケットと前記折曲縁の一方から他方に防犯ねじをねじ込むことにより固着し、前記面格子の上下の横フレームの屋内側面に形成した凹溝にねじ持ち部材を挿入するとともに、前記横フレームの屋内側面にブラケット補強板を備え、そのブラケット補強板と前記ねじ持ち部材との間に前記ブラケットの面格子側端部を介在させて前記ブラケット補強板から前記ブラケットの面格子側端部を貫通して前記ねじ持ち部材にねじ込まれるねじにより前記ブラケットと前記面格子とを固着することを特徴とする面格子取付構造。
【請求項６】
ブラケット補強板は断面形状がほぼコ字形に形成され、横フレームの凹溝を跨ぐように前記横フレームの屋内側部分に嵌合当接され、かつ、前記面格子内側面に当接された側辺がねじで前記横フレームに固着されていることを特徴とする請求項５記載の面格子取付構造。
【発明の詳細な説明】
【技術分野】
【０００１】
本発明は、面格子をブラケットを介して建物躯体に取り付けるための構造に関する。
【背景技術】
【０００２】
面格子をブラケットを介して建物躯体に取り付ける従来の取付構造は、面格子にブラケットの一端をねじで固着し、そのブラケットの他端を外壁や柱などの建物躯体にねじで固着するものである。
【特許文献１】特になし。
【発明の開示】
【発明が解決しようとする課題】
【０００３】
従って、従来の面格子取付構造においては、ブラケットと面格子の固着部の機械的強度が十分とはいえず、ブラケットと面格子とを固着するねじ、ブラケットと建物躯体とを固着するねじのいずれも露出されているため、ドライバで容易にねじを取り外したり、バールなどで無理やりこじ開け又は引き抜いたりして、面格子を不正に取り外される虞があって、防犯性に乏しい問題があった。
【０００４】
本発明は、上記の点に鑑みてなされたものであり、解決しようとする課題は、ブラケットを用いて面格子を建物躯体に取り付ける取付構造において、ブラケットと面格子との固着部及びブラケットと建物躯体との固着部の固着用ねじの取り外しを阻止できるように改良して、十分な防犯性を確保することにある。
【課題を解決するための手段】
【０００５】
上記課題を解決するため、本発明は、ブラケットを用いて面格子を建物躯体に取り付ける取付構造において、前記ブラケットの建物躯体側端部にそのブラケットを建物躯体に固着したねじの頭を隠すためのねじ隠しカバーを、そのねじ隠しカバーに設けられた折曲縁を前記ブラケットに形成された孔に挿入した後、前記ブラケットと前記折曲縁の一方から他方に防犯ねじをねじ込むことにより装着することを特徴としている（請求項１）。
ここで、防犯ねじとは、ねじを締め付ける方向にはドライバにより回転させることができるが、ねじを緩める方向にはドライバにより回転させることができないねじをいう。このような防犯ねじは周知である。
上記構成において、ブラケットを建物駆体に固着するねじの頭は、ねじ隠しカバーにより隠蔽される。そのねじ隠しカバーは、防犯ねじによりブラケットに固着されている。
【０００６】
ねじ隠しカバーのブラケットを建物躯体に固着したねじの頭を隠す面に対する折曲縁の角度は、直角よりも大きい角度であることが望ましい（請求項２）。
このような角度にした場合は、折曲縁を防犯ねじでブラケットに締め付けるとねじ隠しカバーが建物駆体側に強く押し当てられる。
【０００７】
上記課題を解決するもう一つの発明は、ブラケットを用いて面格子を建物躯体に取り付ける取付構造において、前記面格子の上下の横フレームの屋内側面に形成した凹溝にねじ持ち部材を挿入するとともに、前記横フレームの屋内側面にブラケット補強板を備え、そのブラケット補強板と前記ねじ持ち部材との間に前記ブラケットの面格子側端部を介在させて前記ブラケット補強板から前記ブラケットの面格子側端部を貫通して前記ねじ持ち部材にねじ込まれるねじにより前記ブラケットと前記面格子とを固着することを特徴としている（請求項３）。
上記構成により、ブラケットを面格子に取付ける部分は、ブラケットの面格子側端部とブラケット補強板とねじ持ち部材とで３層構造となり、これらがねじで連結されて面格子の上下の横フレームに固着される。
【０００８】
前記ブラケット補強板は断面形状がほぼコ字形に形成され、横フレームの凹溝を跨ぐように前記横フレームの屋内側部分に嵌合当接され、かつ、前記面格子内側面に当接された側辺がねじで前記横フレームに固着されていることが望ましい（請求項４）。
上記構成により、コ字形のブラケット補強板が上下の横フレームの屋内側部分に嵌合当接され、かつ、面格子内側面にねじにより固着されるので、ブラケットと面格子との結合強度がさらに大きくなる。
【０００９】
上記課題を解決するさらに別の発明は、ブラケットを用いて面格子を建物躯体に取り付ける取付構造において、前記ブラケットの建物躯体側端部にそのブラケットを建物躯体に固着したねじの頭を隠すためのねじ隠しカバーを、そのねじ隠しカバーに設けられた折曲縁を前記ブラケットに形成された孔に挿入した後、前記ブラケットと前記折曲縁の一方から他方にねじをねじ込むことにより装着し、前記面格子の上下の横フレームの屋内側面に形成した凹溝にねじ持ち部材を挿入するとともに、前記横フレームの屋内側面にブラケット補強板を備え、そのブラケット補強板と前記ねじ持ち部材との間に前記ブラケットの面格子側端部を介在させて前記ブラケット補強板から前記ブラケットの面格子側端部を貫通して前記ねじ持ち部材にねじ込まれるねじにより前記ブラケットと前記面格子とを固着することを特徴としている（請求項５）。
上記構成により、ブラケットの一端を建物駆体に固着するねじの頭はねじ隠しカバーにより隠蔽され、そのねじ隠しカバーは防犯ねじによりブラケットに固着されているから、ドライバなどで取り外すことはできない。また、ブラケットの他端とブラケット補強板とねじ持ち部材とで３層構造となり、これらがねじで連結されて面格子の上下の横フレームに固着されるので、ブラケットと建物駆体との固着部及びブラケットと面格子との結合部が非常に強固になり、防犯性がさらに高まる。
【００１０】
請求項５の取付構造においても、ブラケット補強板は断面形状がほぼコ字形に形成され、横フレームの凹溝を跨ぐように前記横フレームの屋内側部分に嵌合当接され、かつ、前記面格子内側面に当接された側辺がねじで前記横フレームに固着されているが望ましい。
【発明の効果】
【００１１】
請求項１の発明によれば、ブラケットを建物駆体に固着するねじの頭はねじ隠しカバーにより隠蔽され、そのねじ隠しカバーは防犯ねじによりブラケットに固着されているから、ドライバなどで取り外すことはできない。従って、面格子の不正な取り外しが完全に抑制されるので、高い防犯性が保証される。
【００１２】
請求項２の発明によれば、ねじ隠しカバーのブラケットを建物躯体に固着したねじの頭を隠す面に対する折曲縁の角度を直角よりも大きい角度にした場合は、折曲縁を防犯ねじでブラケットに締め付けるとねじ隠しカバーが建物駆体側に強く押し当てられるので、ねじ隠しカバーと建物駆体の間に隙間が生じにくいため、バールなどによるこじ開けを防止することができる。従って、防犯性が高められる。
【００１３】
請求項３の発明によれば、ブラケットとブラケット補強板とねじ持ち部材とで３層構造となり、これらがねじで連結されて面格子の上下のフレームに固着されるので、ブラケットと面格子との結合部が非常に強固になり、取付状態に不具合が生じることがないとともに、防犯性が一層向上する。
【００１４】
請求項４の発明によれば、ブラケット補強板は断面形状がほぼコ字形に形成され、横フレームの凹溝を跨ぐように前記横フレームの屋内側部分に嵌合当接され、かつ、前記面格子内側面に当接された側辺がねじで前記横フレームに固着されているので、ブラケットと上下の横フレームとの結合強度がさらに大きくなり、バール等でのこじ開けを阻止できるから、防犯性がさらに向上する。
【００１５】
請求項５の発明によれば、ブラケットの一端を建物駆体に固着するねじの頭はねじ隠しカバーにより隠蔽され、そのねじ隠しカバーは防犯ねじによりブラケットに固着されているから、ドライバなどで取り外すことはできず、また、ブラケットの他端とブラケット補強板とねじ持ち部材とで３層構造となり、これらがねじで連結されて面格子の上下のフレームに固着されるので、ブラケットと建物駆体との固着部及びブラケットと面格子との結合部が非常に強固になり、防犯性がさらに高まる。
【００１６】
請求項６の発明によれば、請求項５の構成を備えた面格子取付構造において、ブラケットと横フレームとの結合強度が増大されるから、防犯性は最も高いものとなる。
【発明を実施するための最良の形態】
【００１７】
次に、本発明の実施の形態について、図面に基づいて説明する。
図１は、本発明を実施している面格子付き窓の横断面図であり、図２は図１のＸ−ｘ線断面図、図３は面格子の分解斜視図、図４は図１の右側のブラケット及びねじ隠しカバーの斜視図、図５はそのブラケットとねじかくしカバーを建物駆体に取り付けた状態の要部断面図である。
【００１８】
図１及び図２において、１は面格子である。その面格子の基本的構成は、図３に示すように、左右の縦フレーム１１，１２と上下の横フレーム１３，１４とを矩形に結合してなるフレーム１０を有し、その上下の横フレーム１３，１４の対向面の間に複数本の格子１５が結合されている。上記基本的構成に加えて、防犯機能を備えるため、次のような構成が付加されている。すなわち、上下の横フレーム１３，１４は、上下対称形のそれぞれ上方又は下方に開口する断面コ字形に形成され、その屋内側面には屋内方向に開口する溝131,141が設けられ、また、横フレームの対向面には格子１５の長手方向端面を当接するた めの平坦面132,142を有し、その平坦面の屋内側端部に横フレームの屋内側面に斜めに連 続するねじ受け部133,143が設けられ、そのねじ受け部133,143と平坦面132,142との間に 上下の横フレーム同士で対向する方向に突出するねじ隠し突縁134,144が設けられている 。また、縦フレーム１１，１２は所要の強度を備えるための一つの屋外側の中空部111,121とその中空部の屋内側に形成され、他の縦レームと反対側に開口する溝112,122とを有している。
【００１９】
そして、縦フレーム１１，１２と横フレーム１３，１４の接続は、例えば各縦フレームの溝112,122の上下端部における底部に横フレーム１３，１４の長手方向端面を当て、そ の溝内側から第１ねじＳ１を横フレーム１３，１４に形成されているビスホール135,145 にねじ込むことにより行っている。各縦フレーム１１，１２の溝112,122にはカバー材113,123を嵌め込んでその溝を閉塞して、第１ねじＳ１が外部から露見されないようにするとともに、縦フレームに角筒状外観を備えて体裁を良くし、かつ、強度を補っている。
【００２０】
また、各格子１５は、角筒材又は円筒材で構成され、中にビスホール151が一体に成形 されていて、その長手方向端面を上下の横フレーム１３，１４の平坦面132,142に当接し 、かつ、格子の屋内側端面をねじ隠し突縁134,144に当接させて安定化した状態で、各横 フレームの開口側から第２ねじＳ２を各格子のビスホール151にねじ込むことにより、格 子１５が上下の横フレーム１３，１４に接続されている。そして、その後に、各横フレームの開口にカバー材136,146が嵌め込まれて、第２ねじＳ２が外部から露見されないよう にし、かつ、横フレーム１３，１４に角筒状の外観を備えて体裁を良くし、かつ、強度を補っている。
こうして、堅固な面格子が構成され、かつ、各カバー材113,123;136,146により防犯性 が得られている。
なお、縦フレーム１１，１２の中空部112,121及び溝112,122の長手方向両端部には、それぞれ小口カバー114,124（図３参照）が嵌め込まれている。各小口カバーは、第１ねじ Ｓ１を貫通させる座金部114a,124aと、中空部112,121に押し込まれる突部114b,124bと、 各縦フレームの長手方向端面に係止される平板部11c,124cとを有している。
【００２１】
上下の横フレーム１３，１４の屋内側端部に形成されている溝131,141の中には、各横 フレームの長手方向端部近傍において断面コ字形のねじ持ち部材１６が挿入され、また、その横フレームの屋内側部分に、水平部171と、垂直部172と、傾斜部173とを有する断面 ほぼコ字形のブラケット補強板１７が溝131,141を跨ぐように嵌合して当接され、そのブ ラケット補強板１７の傾斜部173は横フレーム１３，１４の同じ傾斜角度を有するねじ受 け部133,143に当接されている。
ねじ持ち部材１６は、垂直面にねじ孔161が形成されている。また、ブラケット補強板 １７の垂直部172にも、ねじ持ち部材のねじ孔161に対応する孔174が形成され、傾斜部173にも少なくとも一つの孔175が設けられている。こうして、ブラケット補強板の傾斜部173の上側から第３ねじＳ３を横フレーム１３，１４のねじ受け部133,143に少しねじ込み、 さらに、ブラケット補強板の垂直部172の孔174から第４ねじＳ４を少しねじ込むことにより、ねじ持ち部材１６とブラケット補強板１７とを予め取り付けてある。
図３における１８はねじ持ち部材１６とブラケット補強板１７を取り付けた後に、溝131,141の端部に嵌合して閉塞する小口キャップである。
【００２２】
図１，２において、２はブラケットである。このブラケット２は、面格子１の上下の横フレーム１３，１４の長手方向の両端部近傍に対応して４個用意される。上下の横フレームの左側の端部近傍に取り付けられるブラケットと、上下の横フレームの右側の端部近傍に取り付けられるブラケットとは、対称形に形成されている。図１の右側のブラケットを示す図５に基づいて、その一つの構成を説明する。
ブラケット２は、その一端部に建物駆体、図示の例では柱４の屋外側面に当接して固着される短冊状の建物駆体側固着部２１と、その他端部に面格子１の横フレーム１３，１４に前記ブラケット補強板１７とねじ持ち部材１６とによって固定されて面格子に接続される矩形板状の面格子側固着部２２とを有し、建物駆体側固着部２１と面格子側固着部２２との間はへ字形に屈曲又は湾曲された持ち出し部２３により一体に連続されている。そして、面格子側固着部２２は建物駆体側固着部２１を建物駆体、例えば図示の例のように柱４に固着した場合に、窓開口Ｏに臨む位置に存在するように持ち出し部２３により持ち出され、かつ建物駆体側固着部２１と面格子側固着部２２とは平行な垂直面上に存在している。
【００２３】
建物駆体側固着部２１には、その上下端部近傍に孔211が設けられ、その建物駆体側固 着部の高さ方向中間位置における持ち出し部２３との接続部分に切欠212が形成され、そ の持ち出し部２３の切欠近傍に孔231が形成されている。さらに、面格子側固着部２２に は、その高さ方向中央に複数個の孔221が設けられている。
【００２４】
上記構成を有するブラケット２は、面格子側固着部２２において、次のようにして上記面格子１と結合される。すなわち、面格子１にねじ持ち部材１６とブラケット補強板１７とが予め取り付けてある場合は、第３ねじＳ３を緩めるとともに第４ねじＳ４を一旦取り外し、ねじ持ち部材１６とブラケット補強板１７との間を開けて、その間にブラケット２の面格子側固着部２２を介在させて、これらの孔174,221及びねじ孔161を合致させて、第４ねじＳ４を再びブラケット補強板１７の孔174から面格子側固着部２２の孔221に通し、さらにねじ持ち部材１６のねじ孔161にねじ込む。最後に第３ねじＳ３をしっかりねじ込 んで、ブラケット２を面格子１の背面（屋内側面）に固着する。
【００２５】
面格子１にねじ持ち部材１６とブラケット補強板１７とを予め組み付けて置かなくても良い。すなわち、面格子１を建物駆体に取り付ける際にねじ持ち部材１６とブラケット補強板１７とを面格子１に装着すると同時にブラケット２の一端部をそのねじ持ち部材１６とブラケット補強板１７を介して固定してもよい。
【００２６】
次に、ブラケット２の建物駆体側固着部２１を建物駆体、例えば、外壁又は図示の例のように柱４、の屋外側面に当接し、上下の孔211から木ねじ５をねじ込んで固定する。そ の後、ねじ隠しカバー３を次のようにして取り付けて建物駆体側固着部２１を隠蔽する。
すなわち、ねじ隠しカバー３は、図５に示すように、ブラケット２の建物駆体側固着部２１とほぼ等しい形状の被覆板３１と、その被覆板の上下辺及び一方の側辺から屋内方向に突出する突縁３２とを有し、また、被覆板３１の他方の側辺の高さ方向中間位置に屋外方向に折り曲げられ折曲縁３３が設けられ、その折曲縁にねじ孔３４が形成されている。このねじ隠しカバー３は、建物駆体４の屋外側面に固着されたブラケット２の建物駆体側固着部２１にその屋外側から接近させ、折曲縁３３をブラケットの切欠孔212に挿通し、 その折曲縁のねじ孔３４をブラケット２の持ち出し部２３に設けてある長孔231と合致さ せた状態で、その長孔231から第５ねじである防犯ねじＳ５を折曲縁のねじ孔３４にねじ 込む。この場合、折曲縁３３の被覆板３１に対する角度は、図６に示すように、直角よりも大きくしてある。そのため、防犯ねじＳ５をねじ込むと、ねじ隠しカバー３の被覆板３１の突縁３２が柱４の屋外側面に強く押し当てられ、ねじ隠しカバー３と柱４の屋外側面との間に隙間が生じにくくなっている。従って、バールその他の工具をこじ入れてブラケット２を建物駆体４から取り外すことは不可能であり、高い防犯性が保証される。
【００２７】
上述のように、ブラケット２を建物駆体４に固着した状態では、木ねじ５の頭がねじ隠しカバー３により隠蔽され、しかも、そのねじ隠しカバーは防犯ねじＳ５によりブラケット２に固着されているので、ブラケットの建物駆体側固着部２１の防犯性は高く、また、ブラケットの面格子側固着部２２はブラケット補強板３とねじ持ち部材１６により３層構造で結合されているので、従来技術に比し、格段に大きい固着強度が得られる。従って、ブラケットの面格子側固着部２２の防犯性も高い。さらに、ブラケット補強板１７もねじＳ３で固着され、面格子側固着部２２のねじＳ３，Ｓ４はいずれも屋外側に露見されないので、防犯性が一層高いものとなっている。
【００２８】
上記実施例では、矩形に結合したフレーム１０の中に縦格子１５を組み付けた例が示されたが、本発明は面格子の形態には特に制限がなく、例えば、いわゆる角出しタイプの面格子にも適用可能である。格子の構造も任意である。また、第５ねじＳ５はブラケット２とねじかくしカバー３のいずれか一方から他方にねじ込む場合も同じく有効な効果を得ることができる。なお、図１ＷＦはサッシ枠であり、６，７はその縦枠、図２の８，９はその上下の横枠であり、単に面格子１に対する位置関係の一例を示すに過ぎない。
【図面の簡単な説明】
【００２９】
【図１】本発明を実施している面格子付き窓の横断面図。
【図２】図１のＸ−Ｘ線断面図。
【図３】面格子の分解斜視図。
【図４】ねじ持ち部材とブラケット補強板の斜視図。
【図５】図１の右側のブラケット及びねじ隠しカバーの斜視図。
【図６】ブラケットとねじかくしカバーを建物駆体に取り付けた状態の要部断面図。
【符号の説明】
【００３０】
１          面格子
１１，１２  縦フレーム
１３，１４  横フレーム
１５        格子
１６        ねじ持ち部材
１７        ブラケット補強板
２          ブラケット
２１        建物駆体側固着部
２２      面格子側固着部
２３      持ち出し部
212       切欠孔
３        ねじ隠しカバー
３１      被覆板
３３      折曲縁
４      建物駆体（柱）
５      木ねじ
Ｓ３      第３ねじ
Ｓ５      第５ねじ（防犯ねじ）
【図１】
2006037451.tif 000003
【図２】
2006037451.tif 000004
【図３】
2006037451.tif 000005
【図４】
2006037451.tif 000006
【図５】
2006037451.tif 000007
【図６】
2006037451.tif 000008